(57)【特許請求の範囲】
【請求項１】
液透過性の内生地及び液不透過性の外生地を備えたおむつにおいて、
内生地の長手方向に排泄物の漏洩を防止するためのストッパを設けたこと、
内生地と外生地の間のほぼ全体にわたり洗濯可能な吸収シートを挿脱する袋部を設け    たこと、
短辺側全長にわたる袋部の開口部をおむつの短辺側の一方又は両方に設けたことを特徴  とする再利用可能なおむつ。
【請求項２】
略方形状に立ち上がるストッパを設けたことを特徴とする請求項１記載のおむつ。
【発明の詳細な説明】
【０００１】
【発明の属する技術分野】
本発明はおむつに関し、より詳しくは着用者が横臥せ等の状態になっていても排泄物の横漏れを可及的に防止できるおむつに関する。
【０００２】
【従来の技術】
本件出願人は特開２００３−１９９７７８において吸収シート（尿取りパッド）を挿脱可能な袋部を有するおしめカバーを提案した。
【０００３】
【特許文献１】
特開２００３−１９９７７８
【０００４】
【発明が解決しようとする課題】
上述の出願は吸収シート（尿取りパッド）の挿脱が容易であり使い勝手がよく、しかも通気性に優れているものであり有用なものである。
【０００５】
ところが着用者が横臥せ状の体位になっていると、股ぐり付近から排泄物が漏洩することがあり得るという難点を有する。
【０００６】
そこで本発明は着用者が横臥せ状の体位になっていたとしても、排泄物の漏洩を可及的に防止できるおしめを提供することを目的とする。
【０００７】
【課題を解決するための手段】
上記課題を解決するために請求項１記載のおむつは  液透過性の内生地及び液不透過性の外生地を備えたおむつにおいて、内生地の長手方向に排泄物の漏洩を防止するためのストッパを設けると共に内生地と外生地の間のほぼ全体にわたり吸収シートが挿脱可能な袋部を設けると共に、短辺側全長にわたる袋部の開口部をオムツの短辺側の一方又は両方に設けた。
【０００９】
請求項２記載のおむつはストッパを略方形状に設け、ストッパの全周が立ち上がるように形成した。
【００１２】
以下、上述のように構成される本発明が如何に作用して課題を解決するかを述べる。
【００１３】
本発明に係るおむつは内生地と外生地の間に袋部を有し、且つ、袋部内に吸収シートを挿脱することが可能なものである。この吸収シートにより着用者の排泄物を捕収するのである。
【００１４】
係る捕収手段のみによっては着用者が横臥せ状態では股ぐり付近から排泄物が漏洩してしまうおそれがある。そこで本発明は内生地の着用者に接する側の面の長手方向に沿ってストッパを設けた。このストッパにより排泄物が一旦堰き止められ、ストッパに沿い拡散される。そして液透過性の内生地を透過して吸収シートにより捕収されていくのである。
【００１５】
かように本発明に係るおむつではストッパにより排泄物が一旦堰き止められるがゆえに股ぐり付近からの横漏れを可及的に防止することが可能となるのである。
【００１６】
【発明の実施の形態】
以下、好ましい発明の一実施形態につき図面を参照しながら述べる。
【００１７】
図１は袋部の開口部を短辺側の一方に設けた請求項１記載のおむつの斜視図であり、図２は同、開口部を短辺側の両方に設けた請求項1記載のおむつの斜視図であり、図３は袋部の開口部を短辺側のみならず、両股ぐり付近にも設けた請求項1記載のおむつの他の実施例を示す斜視図である。また、図４、図５は請求項1記載のおむつに設けられたストッパの実施形態の一例を示すものであり、ストッパは長手方向に帯状に二列に、或いは、略U字状に設けられている。図６は請求項２記載のおむつの斜視図である。ストッパを長手方向に略方形状、つまり略長方形状に設けて全周縁部を立ち上げ、どの方向からも排泄物が漏れないように形成されている。
【００１８】
請求項１記載に係るおむつは液透過性の内生地及び液不透過性の外生地が縫合されて形成されたものであり、内生地と外生地の間には開口部を有する袋部が内生地と外生地の間のほぼ全体にわたり形成されている。
【００１９】
ここに外生地は液不透過性の合成繊維で形成されており、内生地は液透過性の合成繊維のニット生地で形成されている。
【００２０】
又、内生地の着用者と接する側の面には長手方向にストッパが設けられている。ストッパは内生地と同じ生地を使用して形成されている。着用者の違和感を無くすためやドライ感をだすためである。
但し、同一生地に限定されるものではなく、ストッパには防水生地を使用してもよいし、ゴム等の弾性糸を入れてもよい。
【００２１】
請求項１記載のおむつは図１に示すように、開口部４ａがおむつ６の短辺側一方縁部付近に短辺の全長にわたり設けられている。この大きな開口部４ａから内生地と外生地の間に設けられた生地のほぼ全範囲にわたる空洞を形成する袋部内に、吸収シート３を挿入するのである。
【００２２】
ここに吸収シートとは広義の概念であり、尿を吸収する素材即ち綿シート、ポリマーシート等を含むものである。
【００２３】
又、内生地１の着用者と接する側の面には長手方向にストッパ５が設けられている。
【００２４】
請求項１記載のおむつは図２に示すように開口部４ａ、４ｂをおむつ６の短辺側両縁部付近に設けることも可能である。短辺の全長にわたる大きな開口部４ａ、４ｂいずれからも吸収シートの挿脱が可能なものである。
【００２５】
また、図３に示すように、さらに開口部４ｃ-４ｃを両股ぐり付近に設けることも可能である。この開口部４ｃ-４ｃからも吸収シートの挿脱が可能となる。
【００２６】
図４はストッパ５ａが内生地１の長手方向に帯状に二列設けられた請求項1記載のおむつの平面図である。
【００２７】
このストッパ５ａはいずれもおむつ６の中心部に沿った側の縁部Ａが内生地１と縫合されておらず、立ち上がりが可能なものである。
【００２８】
本発明に係るおむつ及びおむつカバーは、いずれも着用者の脚回りに位置するレッグ部７にレッグ部弾性部材７ａが配されてレッグギャザーが形成されている。
【００２９】
請求項１記載のおむつの他の実施形態として図５に示すようにストッパ５ｂをおむつの６の内生地１の長手方向に略Ｕ字形に設けることも可能である。
【００３０】
このストッパ５ｂはいずれもおむつ６の中心部に沿った側の縁部Ａが内生地１と縫合されておらず、立ち上がりが可能なものである。
【００３１】
請求項２記載のおむつは図６に示すようにストッパ５ｃがおむつの６の内生地１の長手方向に略方形状に設けられている。
【００３２】
このストッパ５ｃはいずれもおむつ６の中心部に沿った側の縁部Ａが内生地１と縫合されておらず、立ち上がりが可能なものである。
【００３９】
【発明の効果】
本発明は以上のように構成されているが故に、着用者が横臥せ状の体位になっていたとしても、排泄物の漏洩を可及的に防止できるおしめを提供することが可能となるのである。また、各図面から明らかなように、大きな吸収シート３を取り出す開口部がおむつの短辺の全長にわたり設けられているため、吸収シートの挿脱が容易となるだけでなく充分な洗濯及び乾燥が可能となり、衛生的である。
また、請求項2記載のおむつは略長方形状のストッパがその全周を立ち上げて排泄物をせき止めるため、どの方向へも排泄物が漏れないのである。
【図面の簡単な説明】
【図１】  開口部を短辺側の一縁部に設けた請求項１記載のおむつの斜視図。
【図２】  開口部を短辺側の両縁部に設けた請求項１記載のおむつの斜視図。
【図３】  開口部を両股ぐり及び短辺側両縁部に設けた請求項１記載のおむつの斜視図。
【図４】  帯状二列にストッパを設けた請求項１記載のおむつの平面図。
【図５】  略Ｕ字状にストッパを設けた請求項１記載のおむつの平面図。
【図６】  請求項２記載のおむつの平面図。
【符号の説明】
１・・内生地      ２・・外生地
３・・吸収シート      ４ａ，４ｂ，４ｃ・・開口部
５，５ａ，５ｂ，５ｃ・・ストッパ      ６・・おむつ
【図１】
0003840455.tif 000002
【図２】
0003840455.tif 000003
【図３】
0003840455.tif 000004
【図４】
0003840455.tif 000005
【図５】
0003840455.tif 000006
【図６】
0003840455.tif 000007